(57)【要約】  本発明は磁界センサ（１３）、殊に、自動車のホイール回転またはドライブトレインに対する回転数センサおよび／または回転方向センサに関する。ここでは電気構造グループ（１０）と、接続ケーブル（２８）の終端部が射出成形によって、プラスチック（３２）で包囲されており、固定耳（３８）が取り付けられている。電気構造グループ（１０）と接続ケーブル（２８）の終端部はプラスチックによって包囲されており、これはコア（３０）を形成する。このコア上に固定耳（３８）が、設定可能な長手方向位置および／または角度位置で設けられている。これによって、固定耳（３８）に対するコア（３０）の異なる位置を選択することができ、磁界センサのデザインを容易に組み込み状態に合わせることができる。
2011510310.tif 000002
【特許請求の範囲】
【請求項１】
磁界センサであって、殊に、自動車のホイール回転またはドライブトレインに対する回転数センサおよび／または回転方向センサであって、
電気的かつ機械的に、接続ケーブル（２８）の終端部と接続されている電気構造グループ（１０）と、固定耳（３８）とが設けられている形式のものにおいて、
前記電気構造グループ（１０）と前記接続ケーブル（２８）の終端部はプラスチックによって包囲されており、コア（３０）を形成し、当該コア上に固定耳（３８）が、設定可能な長手方向位置および／または角度位置で設けられている、
ことを特徴とする磁界センサ。
【請求項２】
前記コア（３０）は円筒状に構成されて、前記接続ケーブル（２８）の同軸状終端部を取り囲んでいる、請求項１記載の磁界センサ。
【請求項３】
前記固定耳（３８）内に、金属製固定入れ子（３６）が挿入されている、請求項１または２記載の磁界センサ。
【請求項４】
前記固定耳（３８）は、前記センサ（１３）用のセンタリングスリーブ（４０）を有している、請求項１から３までのいずれか１項記載の磁界センサ。
【請求項５】
前記センタリングスリーブ（４０）は、自身の周囲に対称に配置されているセンタリングリブ（４２）を有している、請求項４記載の磁界センサ。
【請求項６】
前記センサ（１３）の位置付けを、前記センタリングリブ（４２）の角度位置および／または高さによって変える、請求項４記載の磁界センサ。
【請求項７】
前記センタリングスリーブ（４０）は、自身の周囲に、シーリングリング（７０）を収容するための溝（６８）を有している、請求項４から６までのいずれか１項記載の磁界センサ。
【請求項８】
前記コア（３０）の包囲部（３２）と前記固定耳（３８）は異なるプラスチックから成る、請求項１から７までのいずれか１項記載の磁界センサ。
【請求項９】
前記コア（３０）の包囲部と前記固定耳（３８）は異なるポリアミドから成る、請求項１から８までのいずれか１項記載の磁界センサ。
【請求項１０】
前記コア（３０）は自身の表面に、前記固定耳（３８）をロックするための構造（６６）を有している、請求項１から９までのいずれか１項記載の磁界センサ。
【請求項１１】
前記コア（３０）は自身の表面に、前記固定耳（３８）をロックするための切り欠き（６６）を有している、請求項１０記載の磁界センサ。
【発明の詳細な説明】
【技術分野】
【０００１】
先行技術
本発明は、独立請求項の上位概念に記載された磁界センサに基づく。
【０００２】
ＤＥ１０１２９２２２Ａ１号には磁界センサが開示されている。この磁界センサのセンサ素子は、金属から成る担体上に載置されており、プラスチックによる被覆によって、回転センサ素子に対して固定位置に固定されている。センサ素子の位置はストッパーによって定められる。このストッパーは、センサとエンコーダとの間の間隔を定める。ここでこの間隔も、エンコーダに対するセンサの角度位置も変えることはできない。
【０００３】
発明の概要
本発明の磁界センサは、これに対して次のような利点を有している。すなわち、一方で電気構造グループを有し、他方で固定耳を有する、提案されたセンサコア製造によって、各組み込み状態に相応して、幾何学的形状も、センサ素子に対する固定耳の長手方向位置および角度位置も変えることができる、という利点を有している。従って、異なって構成されたセンサを、射出成形工具全体を移動させるまたは交換する代わりに、工具取り付け部分を移動させるまたは交換するだけで、製造することができる。
【０００４】
有利にはセンサコアは実質的に円筒状に形成されており、同軸状に、接続ケーブルの終端部を包囲する。これによってこの接続ケーブルは、完全に密閉されてかつ確実に、電気構造グループと接続される。温度が著しく変動する場合および長い動作持続時間の後にも密閉するプラスチックの選択は、固定耳の材料選択に依存しないで行われる。この固定耳は自身の側で殊に、高い機械的安定性および正確な位置付けの点について特別に選択され得る。有利には、コアの包囲部および固定耳に対して、上述の条件を満たす異なるポリアミドが使用される。
【０００５】
磁界センサの固定に関してはさらに、固定耳内に金属性の固定入れ子を挿入することが有利であることが判明している。これによって殊に、取り付け時にまたは作動中に耳が損傷を受けるまたは緩む恐れが阻止される。センサコアに付加的なセンタリング素子を取り付ける場合に、センサを特に正確に位置付けることができる。これは有利には、センタリングスリーブの周囲に対称に配置されたセンタリングリブの形状を有している。しかしセンサの位置を変えるために、これらのリブが非対称に配置されていてもよく、または異なる高さを有してもよい。センタリングスリーブが自身の周囲に、シーリングリングを収容するための溝を有する場合には、センサの付加的な外側シーリングが実現される。
【０００６】
本発明のさらなる詳細および有利な構成を、従属請求項および実施例の説明に記載する。
【図面の簡単な説明】
【０００７】
【図１】本発明の磁界センサの構造の概略図
【図２】磁界センサの完成前の構成部分として接続ケーブルを有する、電子構造グループを収容するコアの斜視図
【図３ａ】磁界センサの第１の実施形態の斜視図
【図３ｂ】密閉されているセンタリングスリーブを備えた、別のセンサ構造形態の斜視図
【０００８】
本発明の磁界センサの実施例を図示し、以下の記述において詳細に説明する。
【発明を実施するための形態】
【０００９】
本発明の実施形態
図１には、熱可塑性プラスチックによって被覆された、磁界センサ１３の電気構造グループ１０が示されている。これは、自動車のホイール回転を検出するための回転数センサとして構成されている。これは、端面側で、ＩＣユニット１１を含んでおり、このＩＣユニットはセンサ素子と、測定信号の処理および測定値出力のための集積回路とを有している。測定信号を形成するための磁界は、円筒状永久磁石１２によって提供される。この永久磁石は、直接的に、ＩＣユニット１１の後方に配置されている。集積回路１１の２つの導体路１４と１６は、信号ピークを減少させるために、コンデンサ１８によってブリッジされており、クランプ結合部２０および２２によって、ケーブル２８の接続線路２４および２６と接続されている。この接続線路の前方終端部は、線路２４および２６、コンデンサ１８、永久磁石１２および集積回路１１とともに、構造および作用に関して既知の磁界センサを完成させるためにプラスチックによって被覆される。プラスチック被覆部の個々の部分は、図１において、破線によって示されており、以下の図面において詳細に説明する。
【００１０】
図２は、センサコア３０の斜視図を示している。ここでこれは、周辺影響に対して密閉されている、円筒状の被覆部３２内で、接続ケーブル２８と接続されている電気構造グループ１０を含んでいる。穿孔３４はここで、センシング素子としての電気構造グループ１０のＩＣユニット１１の位置を示している。これに従って、磁界センサ１３が取り付け時に配向される。この実施形態では、側面の読み取り面に向かって配向される。図２はさらに、金属製入れ子３６を示している。この金属製入れ子は、別個の射出成形過程において、コア３０と接続される位置に示されている。コアの表面上の多数の切り欠き６６はここで、固定耳３８との確実な接続のために使用される。
【００１１】
図３ａは、斜視図で、完成された磁界センサ３０を示している。ここでこの磁界センサは固定耳３８を有しており、この固定耳は、所定の長手方向位置および角度位置で、コア３０に射出成形して取り付けられている（angespritzt）。穿孔３４はここで、射出成形工具内でのコアの位置付けのために用いられる。ここで固定耳３８は、センサ１３の取り付けのために設定された位置において、射出成形して取り付けられる。
【００１２】
固定耳３８内に、図２から読み取れる金属製入れ子３６が入れられる（eingespritzt）。これによってセンサ固定の安定性が高まる。固定耳３８によって覆われた切り欠き部６６はここで、コア３０上での耳の形状結合（形状結合とは、嵌め合い又は噛み合いなど部材相互の形状的関係に基づく結合を意味する）で固定された載置を確実にする。さらに、固定耳には、コア３０を部分的に覆うセンタリングスリーブ４０が、射出成形で取り付けられる。このセンタリングスリーブは、センタリングスリーブの周囲に均等に分配された４つのリブ４２を有している。ここでは、このリブによって、センサ１３全体が、取り付け時に遊び無くセンタリングされる。さらに、固定耳３８には、センタリングスリーブ４０に対向して、さらにリング状フランジ４４が、射出成形によって取り付けられている。これは、ケーブル２８からコア３０および固定耳３８への移行を安定させる。
【００１３】
固定耳３８をコア３０上に位置付ける異なる方法が、図３ａと３ｂを比較すると分かる。図３ａでは固定耳３８は、コア３０のプラスチック被覆部３２のケーブル側終端部に配置されているが、図３ｂの装置では固定耳は、さらにコア３０の中心に位置しており、センサの別の機能長さを定める。さらに、読み出し面７３は、図３ｂのセンサの実施形態では、その端面に位置している。図３ｂに従った実施形態における別の相違は、センタリングスリーブ４０の幾何学的形状のデザインにある。これには、例えば軸受けまたは変速機ハウジング内の、図示されていない構成部分における取り付け開口部を密閉するために、溝６８が設けられている。ここに密閉部７０がＯリングの形で配置される。固定耳３８の寸法は基本的に可変であり、センサの組み込み状態に整合される。これは入れ子３８の形状と同じである。これは例えば、組み込み許容公差を高めるおよび／または耳幾何学的形状の多様性を低減させるために、例えば楕円形に構成されていても良い。その他の点においては同じ部分には、図３ａと同じ参照符号が付されている。
【図１】
2011510310.tif 000003
【図２】
2011510310.tif 000004
【図３ａ】
2011510310.tif 000005
【図３ｂ】
2011510310.tif 000006
【国際調査報告】
2011510310.tif 000007
2011510310.tif 000008
2011510310.tif 000009
2011510310.tif 000010
2011510310.tif 000011
2011510310.tif 000012